(57)【要約】【課題】簡易な構成で様々なゴーストの発生状態に対応するゴースト信号を生成することができるゴースト信号生成装置を提供する。【解決手段】それぞれ線路長の異なる少なくとも三つの同軸ケーブルＣ１〜Ｃｎと、単一の高周波信号Ｓ１を分配して同軸ケーブルＣ１〜Ｃｎそれぞれに伝送する分配器１と、同軸ケーブルＣ１〜Ｃｎの各出力を加算する加算器２と、同軸ケーブルＣ１〜Ｃｎと分配器１又は加算器２との間の接続／非接続を各ケーブル毎に独立して切り替える切替手段（スイッチＳＷ１〜ＳＷｎからなる切替手段）とを備えるゴースト信号生成装置。【選択図】図１
2007201656.tif 000002
【特許請求の範囲】
【請求項１】
それぞれ線路長の異なる少なくとも三つの同軸ケーブルと、単一の高周波信号を分配して前記同軸ケーブルそれぞれに伝送する分配器と、前記同軸ケーブルの各出力を加算する加算器と、前記同軸ケーブルと前記分配器又は前記加算器との間の接続／非接続を各ケーブル毎に独立して切り替える切替手段とを備えることを特徴とするゴースト信号生成装置。
【請求項２】
それぞれ線路長の異なる少なくとも三つの高周波信号伝送線路と、単一の高周波信号を分配して前記高周波信号伝送線路それぞれに伝送する分配器と、前記高周波信号伝送線路の各出力を加算する加算器と、前記高周波信号伝送線路と前記分配器又は前記加算器との間の接続／非接続を各線路毎に独立して切り替える切替手段とを備えることを特徴とするゴースト信号生成装置。
【発明の詳細な説明】
【技術分野】
【０００１】
本発明は、ゴースト信号を生成するゴースト信号生成装置に関する。
【背景技術】
【０００２】
ゴースト信号を生成するゴースト信号生成装置は、例えばゴースト除去装置のゴースト除去状態をテストするため等に用いられる。
【０００３】
従来のゴースト信号生成装置の構成例を図３に示す。図３に示すゴースト信号生成装置は、分配器１０１によって高周波信号（ＲＦ信号）を二分配し、一方を直接加算器１０２に供給するとともに、もう一方を所定長の同軸ケーブル１０３と増幅器１０４とを介して加算器１０２に供給し、加算器１０２で二つの高周波信号を加算し、その加算された高周波信号を出力端子１０５に供給する。このような構成によると、出力端子１０５には同軸ケーブル１０３の線路長に応じた期間遅延された高周波信号が元の高周波信号に重畳された状態の信号が到達することになり、疑似的にゴースト信号が生成される。
【０００４】
このようなゴースト信号生成装置は、例えば特許文献１の第４図に開示されている。このようなゴースト信号生成装置は、ゴーストの発生状態を変えるときには同軸ケーブルの長さを変える必要があり、ゴーストの発生状態を容易に変えることができないという問題点を有していた。
【特許文献１】特開平３−８８４９６号公報
【発明の開示】
【発明が解決しようとする課題】
【０００５】
かかる問題点を解決することができる従来のゴースト信号生成装置の構成例を図４に示す。図４に示すゴースト信号生成装置は、映像信号源２０１から出力されるベースバンドの映像信号を分配し、分配された映像信号の一方を遅延回路２０２で所定時間だけ遅延させ、その後発振器２０３により同一の搬送周波数信号が注入された変調器２０４、２０５によって双方の映像信号を変調し、変調器２０４の出力を可変減衰器２０６と位相調整器２０８を介して加算器２１０に供給し、変調器２０５の出力を可変減衰器２０７と位相調整器２０９を介して加算器２１０に供給する。加算器２１０で二つの高周波信号を加算し、その加算された高周波信号を混合器２１１と発振器２１２によって周波数変換した後、出力端子２１３に供給する。このような構成によると、搬送周波数に変調する前に遅延回路２０２で遅延信号を作成するため、線路長の長い同軸ケーブル等が必要ないとともにこの遅延回路２０２の設定値を変えることで様々なゴーストの発生状態に対応するゴースト信号を生成することができる。
【０００６】
このようなゴースト信号生成装置は、例えば特許文献１の第１図に開示されている。このようなゴースト信号生成装置は、構成が複雑であるため高コストになるという問題点を有していた。
【０００７】
本発明は、上記の問題点に鑑み、簡易な構成で様々なゴーストの発生状態に対応するゴースト信号を生成することができるゴースト信号生成装置を提供することを目的とする。
【課題を解決するための手段】
【０００８】
上記目的を達成するために本発明に係るゴースト信号生成装置は、それぞれ線路長の異なる少なくとも三つの高周波信号伝送線路（例えば、同軸ケーブル）と、単一の高周波信号を分配して前記高周波信号伝送線路それぞれに伝送する分配器と、前記高周波信号伝送線路の各出力を加算する加算器と、前記高周波信号伝送線路と前記分配器又は前記加算器との間の接続／非接続を各線路毎に独立して切り替える切替手段とを備える構成とする。
【０００９】
このような構成によると、前記切替手段が前記高周波信号伝送線路と前記分配器又は前記加算器との間を少なくとも二つの線路で接続状態にすると、前記加算器からゴースト信号が出力される。そして、前記高周波信号伝送線路と前記分配器又は前記加算器との間を接続状態にする複数の線路の組み合わせを変化させることで、様々なゴーストの発生状態に対応するゴースト信号を生成することができる。また、上記構成のゴースト信号生成装置は、遅延回路等を必要としないので、簡易な構成にすることができる。
【発明の効果】
【００１０】
本発明に係るゴースト信号生成装置によると、簡易な構成で様々なゴーストの発生状態に対応するゴースト信号を生成することができる。
【発明を実施するための最良の形態】
【００１１】
本発明の実施形態について図面を参照して以下に説明する。本発明に係るゴースト信号生成装置の構成例を図１に示す。図１に示すゴースト信号生成装置は、分配器１と、ｎ（ｎは３以上の自然数）個のスイッチＳＷ１〜ＳＷｎと、それぞれ線路長の異なるｎ本の同軸ケーブルＣ１〜Ｃｎと、加算器２とを備えている。なお、スイッチＳＷ１〜ＳＷｎはそれぞれ独立してオン／オフの切り替えが可能なスイッチである。
【００１２】
受信アンテナや高周波信号発生器等から分配器１に単一の高周波信号Ｓ１が供給される。分配器１は単一の高周波信号Ｓ１をｎ個に分配し、各経路（スイッチＳＷ１と同軸ケーブルＣ１から成る第１の経路、スイッチＳＷ２と同軸ケーブルＣ２から成る第２の経路、…、スイッチＳＷｎと同軸ケーブルＣｎから成る第ｎの経路）に供給する。各経路の出力端が加算器２に接続されており、スイッチＳＷ１〜ＳＷｎのうち少なくとも２個をオン状態にすると、スイッチがオン状態である経路から出力される高周波信号が加算器２で加算されることによりゴースト信号Ｓ２が生成される。
【００１３】
上記構成の図１に示すゴースト信号生成装置は、オン状態にするスイッチの組み合わせを変化させることで、様々なゴーストの発生状態に対応するゴースト信号を生成することができる。また、図１に示すゴースト信号生成装置は、遅延回路等を必要としないので、簡易な構成にすることができる。
【００１４】
本発明に係るゴースト信号生成装置の他の構成例を図２に示す。なお、図２において図１と同一の部分には同一の符号を付し詳細な説明を省略する。
【００１５】
図２に示すゴースト信号生成装置と図１に示すゴースト信号生成装置との相違点は、図１に示すゴースト信号生成装置では各経路において入力側にスイッチが設けられ出力側に同軸ケーブルが設けられているのに対して、図２に示すゴースト信号生成装置では各経路において入力側に同軸ケーブルが設けられ出力側にスイッチが設けられている点である。
【００１６】
図２に示すゴースト信号生成装置は、図１に示すゴースト信号生成装置と同様に、オン状態にするスイッチの組み合わせを変化させることで、様々なゴーストの発生状態に対応するゴースト信号を生成することができる。また、図２に示すゴースト信号生成装置は、図１に示すゴースト信号生成装置と同様に、遅延回路等を必要としないので、簡易な構成にすることができる。
【００１７】
なお、上述した実施形態では、同軸ケーブルを備えるゴースト信号生成装置について説明したが、本発明はこれに限定されることはなく、本発明に係るゴースト信号生成装置は同軸ケーブル以外の高周波信号伝送線路（例えば、基板に形成されるマイクロストリップ線路など）を備える形態であってもよい。
【００１８】
また、図１の構成において、分配器１及びスイッチＳＷ１〜ＳＷｎの代わりに、各出力端毎に独立して出力／非出力の設定が行える分配器を設けてもよい。また、図２の構成において、加算器２及びスイッチＳＷ１〜ＳＷｎの代わりに、各入力端毎に独立して入力／非入力の設定が行える加算器を設けてもよい。
【００１９】
また、上述した実施形態では、全てのスイッチが経路の入力側又は出力側の一方に設けられているが、本発明はこれに限定されることはなく、一部のスイッチが経路の入力側に設けられ、残りのスイッチが出力側に設けられる形態であっても構わない。かかる形態において、分配器及び経路の入力側に設けられるスイッチの代わりに各出力端毎に独立して出力／非出力の設定が行える分配器を設け、加算器及び出力側に設けられるスイッチの代わりに、各入力端毎に独立して入力／非入力の設定が行える加算器を設けてもよい。
【図面の簡単な説明】
【００２０】
【図１】は、本発明に係るゴースト信号生成装置の構成例を示す図である。
【図２】は、本発明に係るゴースト信号生成装置の他の構成例を示す図である。
【図３】は、従来のゴースト信号生成装置の構成例を示す図である。
【図４】は、従来のゴースト信号生成装置の他の構成例を示す図である。
【符号の説明】
【００２１】
１  分配器
２  加算器
Ｃ１〜Ｃｎ  同軸ケーブル
ＳＷ１〜ＳＷｎ  スイッチ
Ｓ１  高周波信号
Ｓ２  ゴースト信号
【図１】
2007201656.tif 000003
【図２】
2007201656.tif 000004
【図３】
2007201656.tif 000005
【図４】
2007201656.tif 000006